(57)【要約】【課題】放射線源が設置された部屋を備えていた建物の解体において、放射性廃棄物の量を少なくでき、放射性廃棄物の処理コストを低減できる中性子線遮蔽構造体などを提供する。【解決手段】放射線源２が設置される部屋の壁構造部材及び天井構造部材のいずれか又は両方に用いられる中性子線遮蔽構造体１であって、放射線源２に近い側に位置する一方側コンクリート部３と、当該一方側コンクリート部３よりも放射線源から遠い側に位置して一方側コンクリート部３と対向する他方側コンクリート部４と、一方側コンクリート部３と他方側コンクリート部４との間に挟まれるように設けられたボロン含有シート５とを備えた。【選択図】図１
2011058922.tif 000002
【特許請求の範囲】
【請求項１】
放射線源が設置される部屋の壁構造部材及び天井構造部材のいずれか又は両方に用いられる中性子線遮蔽構造体であって、放射線源に近い側に位置する一方側コンクリート部と、当該一方側コンクリート部よりも放射線源から遠い側に位置して一方側コンクリート部と対向する他方側コンクリート部と、一方側コンクリート部と他方側コンクリート部との間に挟まれるように設けられたボロン含有シートとを備えたことを特徴とする中性子線遮蔽構造体。
【請求項２】
一方側コンクリート部のコンクリートが低放射化コンクリートにより形成されたことを特徴とする請求項１に記載の中性子線遮蔽構造体。
【請求項３】
一方側コンクリート部がプレキャストコンクリート板により形成されたことを特徴とする請求項１又は請求項２に記載の中性子線遮蔽構造体。
【請求項４】
ボロン含有シートは、ボロン含有樹脂が製作後のプレキャストコンクリート板の板表面上に流し込まれて硬化したことによりプレキャストコンクリート板の板表面に設けられたことを特徴とする請求項３に記載の中性子線遮蔽構造体。
【請求項５】
放射線源が設置される部屋の壁構造部材及び天井構造部材のいずれか又は両方に用いられる中性子線遮蔽構造体であって、放射線源に近い側に位置するボロン含有シートと、当該ボロン含有シートよりも放射線源から遠い側に位置するコンクリート部とを備え、ボロン含有シートがコンクリート部の放射線源側の面に設けられたことを特徴とする中性子線遮蔽構造体。
【請求項６】
放射線源に近い側に位置する一方側コンクリート部と、一方側コンクリート部よりも放射線源から遠い側に位置して一方側コンクリート部と対向する他方側コンクリート部と、一方側コンクリート部と他方側コンクリート部との間に挟まれるように設けられたボロン含有シートとを備えた中性子線遮蔽構造体、又は、放射線源に近い側に位置するボロン含有シートと、ボロン含有シートよりも放射線源から遠い側に位置するコンクリート部とを備え、ボロン含有シートがコンクリート部の放射線源側の面に設けられた中性子線遮蔽構造体を用いて、放射線源を覆うように形成されたことを特徴とする放射線源設置部屋。
【発明の詳細な説明】
【技術分野】
【０００１】
本発明は、放射線源が設置された部屋を備えていた建物の解体において放射性廃棄物の処理コストを低減可能な中性子線遮蔽構造体などに関する。
【背景技術】
【０００２】
癌診断を行うＰＥＴ施設、癌治療を行う医療用放射線照射施設、加速器施設、アイソトープ貯蔵施設、ウラン処理施設、原子炉施設など、放射線の取扱いに伴い中性子線が発生する建物においては、放射線源が設置される部屋を中性子線遮蔽構造体で構築することによって、部屋外への中性子線の漏洩防止を図っている。
従来、放射線源が設置された部屋を区画するコンクリート部の外面にボロンを含有したシートを設けた構成の中性子線遮蔽構造体（例えば、特許文献１参照）や、放射線源が設置された部屋を区画する内側コンクリートの外面にボロンを含有した外側コンクリートが設けられた構成の中性子線遮蔽構造体（例えば、特許文献２参照）が知られている。
【先行技術文献】
【特許文献】
【０００３】
【特許文献１】特開２００７−１５５４９９号公報
【特許文献２】特開２００７−１５５４９７号公報
【発明の概要】
【発明が解決しようとする課題】
【０００４】
放射線源が設置された部屋の壁構造部材や天井構造部材に、特許文献１や特許文献２の中性子線遮蔽構造体を用いた場合、中性子線遮蔽構造体を構成するコンクリート部分の全てが被爆するので、放射線源が設置された部屋を備えていた建物の解体後、部屋の壁構造部材や天井構造部材を形成していた中性子線遮蔽構造体のコンクリート（コンクリートがら）の全てを放射性廃棄物として処理しなくてはならず、放射線源が設置された部屋を備えていた建物の解体において放射性廃棄物の処理コストが高くなるという問題点があった。
本発明は、上記問題点に鑑みてなされたもので、放射線源が設置された部屋を備えていた建物の解体において、放射性廃棄物の量を少なくでき、放射性廃棄物の処理コストを低減できる中性子線遮蔽構造体などを提供する。
【課題を解決するための手段】
【０００５】
本発明に係る中性子線遮蔽構造体は、放射線源が設置される部屋の壁構造部材及び天井構造部材のいずれか又は両方に用いられる中性子線遮蔽構造体であって、放射線源に近い側に位置する一方側コンクリート部と、当該一方側コンクリート部よりも放射線源から遠い側に位置して一方側コンクリート部と対向する他方側コンクリート部と、一方側コンクリート部と他方側コンクリート部との間に挟まれるように設けられたボロン含有シートとを備えたので、他方側コンクリート部の放射化を抑制でき、放射線源が設置された部屋を備えていた建物の解体において、放射性廃棄物の量を少なくでき、放射性廃棄物の処理コストを低減できる。
一方側コンクリート部のコンクリートが低放射化コンクリートにより形成されたので、上記中性子線遮蔽構造体の全てのコンクリート部の放射化を抑制でき、建物解体後の放射性廃棄物の量をより減らせるため、放射性廃棄物の処理にかかるコストをより低減できる。
一方側コンクリート部がプレキャストコンクリート板により形成されたので、プレキャストコンクリート板の一方の板表面にボロン含有シートを設けた構成の複合プレキャストコンクリート板を打込型枠として使用でき、中性子線遮蔽構造体からなる壁構造部材を容易に構築できる。
ボロン含有シートは、ボロン含有樹脂が製作後のプレキャストコンクリート板の板表面上に流し込まれて硬化したことによりプレキャストコンクリート板の板表面に設けられたので、複合プレキャストコンクリート板を容易に製作できるようになる。
本発明に係る中性子線遮蔽構造体は、放射線源が設置される部屋の壁構造部材及び天井構造部材のいずれか又は両方に用いられる中性子線遮蔽構造体であって、放射線源に近い側に位置するボロン含有シートと、当該ボロン含有シートよりも放射線源から遠い側に位置するコンクリート部とを備え、ボロン含有シートがコンクリート部の放射線源側の面に設けられたので、放射線源から放射される中性子線が低いエネルギーの中性子線である場合、当該低いエネルギーの中性子線をボロン含有シートで吸収でき、コンクリート部の放射化を抑制できるので、放射線源が設置された部屋を備えていた建物の解体において、放射性廃棄物の量を少なくでき、放射性廃棄物の処理コストを低減できる。
本発明に係る放射線源設置部屋は、放射線源に近い側に位置する一方側コンクリート部と、一方側コンクリート部よりも放射線源から遠い側に位置して一方側コンクリート部と対向する他方側コンクリート部と、一方側コンクリート部と他方側コンクリート部との間に挟まれるように設けられたボロン含有シートとを備えた中性子線遮蔽構造体、又は、放射線源に近い側に位置するボロン含有シートと、ボロン含有シートよりも放射線源から遠い側に位置するコンクリート部とを備え、ボロン含有シートがコンクリート部の放射線源側の面に設けられた中性子線遮蔽構造体を用いて、放射線源を覆うように形成されたので、部屋の床構造部材のコンクリートの放射化も抑制できるようになり、建物解体後の放射性廃棄物の量をより減らせるため、放射性廃棄物の処理にかかるコストを低減できる。
【図面の簡単な説明】
【０００６】
【図１】中性子線遮蔽構造体の構成を示す断面図（実施の形態１）。
【図２】中性子線遮蔽構造体により構築された部屋を示す断面図（実施の形態１）。
【図３】中性子線遮蔽構造体の構成を示す断面図（実施の形態２）。
【図４】部屋の壁構造部材の構築方法を示す図（実施の形態３）。
【図５】複合ＰＣａ板の製作方法を示す図（実施の形態４）。
【図６】中性子線遮蔽構造体の構成を示す断面図（実施の形態５）。
【図７】中性子線遮蔽構造体により構築された部屋を示す断面図（実施の形態５）。
【図８】中性子線遮蔽構造体により構築された部屋を示す断面図（実施の形態８）。
【発明を実施するための形態】
【０００７】
図１を参照し、中性子線遮蔽構造体１の構成を説明する。
中性子線遮蔽構造体１は、放射線源２に近い側に位置する一方側コンクリート部３と、一方側コンクリート部３よりも放射線源２から遠い側に位置して一方側コンクリート部３と対向する他方側コンクリート部４と、一方側コンクリート部３と他方側コンクリート部４との間に挟まれるように設けられたボロン含有シート５とを備える。
【０００８】
一方側コンクリート部３は、普通コンクリートと図外の鉄筋とによる鉄筋コンクリート構造、あるいは、普通コンクリートのみによる無筋コンクリート構造により形成される。
他方側コンクリート部４は、普通コンクリートと図外の鉄筋とによる鉄筋コンクリート構造により形成される。
普通コンクリートは、川砂，海砂，山砂，砕石，砕砂などから得られる骨材と、セメントと、水とを混練して形成される。
【０００９】
一方側コンクリート部３は、中性子線ａの速度を減速して中性子線ａがボロン含有シート５に吸収されやすくするための減速層として機能する。一方側コンクリート部３の厚さ寸法は、吸収対象とする中性子線ａのエネルギーの高低に応じて決めればよい。低いエネルギー（低速）の中性子線ａを吸収対象とする場合は、一方側コンクリート部３の厚さ寸法を小さくし、高いエネルギー（高速）の中性子線ａを吸収対象とする場合は、一方側コンクリート部３の厚さ寸法を大きくする。例えば、１４ＭｅＶ程度の高エネルギーの中性子線ａを吸収対象とする場合は、一方側コンクリート部３の厚さ寸法を１０ｃｍ程度とすればよい。
【００１０】
他方側コンクリート部４は、中性子線遮蔽構造体１を後述のように壁構造部材及び天井構造部材として使用する場合に主として中性子以外の放射線、例えばγ線などの遮蔽や、強度を担う構造部として機能する。他方側コンクリート部４の厚さ寸法は１５０ｃｍ〜２００ｃｍ程度とした。
【００１１】
ボロン含有シート５は、ボロンを含有した合成樹脂、例えば、ボロン化合物Ｂ４Ｃを含有した合成樹脂により形成された、遮水性、可撓性を有するシートである。
ボロン含有シート５は中性子線吸収層として機能する。ボロン含有シート５は、例えば、メタクリル酸メチル樹脂などの樹脂中にＢ４Ｃを添加することで形成できる。例えば、樹脂とＢ４Ｃとの配合比を１：０．７５としたＢ４Ｃ混入樹脂を深さ３ｍｍ〜５ｍｍ程度の容器内に流し込んで硬化させることによって３ｍｍ〜５ｍｍ程度の厚さ寸法に形成されたボロン含有シート５を用いればよい。
【００１２】
図２に示すように、上記中性子線遮蔽構造体１を、放射線源２が設置される部屋１０の壁構造部材１１及び部屋１０の天井構造部材１２として使用して、放射線源２が設置される部屋１０を構築する。この場合、中性子線遮蔽構造体１の一方側コンクリート部３の表面３ａ側を放射線源２に近い側に位置させる。
【００１３】
本形態１で説明した、放射線源２が設置される部屋１０の壁構造部材１１及び天井構造部材１２として用いられる中性子線遮蔽構造体１によれば、放射線源２に近い側に位置する一方側コンクリート部３と、一方側コンクリート部３よりも放射線源２から遠い側に位置して一方側コンクリート部３と対向する他方側コンクリート部４と、一方側コンクリート部３と他方側コンクリート部４との間に挟まれるように設けられたボロン含有シート５とを備えたので、一方側コンクリート部３が通過する中性子線の速度をボロンが吸収できる程度に減速させ、ボロン含有シート５が減速した中性子線を吸収するので、他方側コンクリート部４の放射化を抑制できるようになる。つまり、他方側コンクリート部４の放射化を抑制でき、放射線源２が設置された部屋１０を備えていた建物の解体において、放射性廃棄物の量を少なくでき、放射性廃棄物の処理コストを低減できる。
【００１４】
実施の形態２
図３に示すように、中性子線ａの減速層として機能させる一方側コンクリート部３のコンクリートを低放射化コンクリート３１により形成する。つまり、一方側コンクリート部３を低放射化コンクリート部とする。低放射化コンクリート３１とは、骨材として放射化しにくい高純度の骨材（例えば、ナトリウムやコバルトなどの不純物の少ない石灰石など）を用いて形成されたコンクリートである。
一方側コンクリート部３を低放射化コンクリート部とすることで、一方側コンクリート部３の放射化も抑制できるようになる。従って、この場合、中性子線遮蔽構造体１の全てコンクリート部の放射化を抑制でき、建物解体後の放射性廃棄物の量をより減らせるため、放射性廃棄物の処理にかかるコストをより低減できる。
【００１５】
実施の形態３
一方側コンクリート部３をプレキャストコンクリート板（以下、ＰＣａ板という）３５により形成する。つまり、図４に示すように、一方側コンクリート部３として、工場で製作したＰＣａ板３５を用い、ＰＣａ板３５の一方の板表面３５ａにボロン含有シート５を設けた構成の複合ＰＣａ板３６を打込型枠３７として使用し、この打込型枠３７のボロン含有シート５の外側に当該ボロン含有シート５と間隔を隔ててコンクリート型枠３８を設置する。そして、ボロン含有シート５とコンクリート型枠３８との間に他方側コンクリート４を形成するために鉄筋を組んだ後に普通コンクリート３９を打設する。この普通コンクリート３９が固化して他方側コンクリート部４が形成された後にコンクリート型枠３８を撤去することで、一方側コンクリート部３と他方側コンクリート部４との間にボロン含有シート５が挟まれた構造の中性子線遮蔽構造体１からなる壁構造部材１１を構築できる。
実施の形態３によれば、ＰＣａ板３５の一方の板表面３５ａにボロン含有シート５を設けた構成の複合ＰＣａ板３６を打込型枠３７として使用できるので、中性子線遮蔽構造体１からなる壁構造部材１１を容易に構築できる。
【００１６】
実施の形態４
一方側コンクリート部３を形成するＰＣａ板３５の板表面４０上にボロン含有樹脂４６を流し込んでボロン含有樹脂４６を硬化させることで、ＰＣａ板３５の板表面４０にボロン含有シート５が設けられた構成の複合ＰＣａ板３６を用いてもよい。
複合ＰＣａ板３６は、例えば、図５（ａ）；（ｂ）に示すように、工場において、製作後のＰＣａ板３５の板表面４０の周囲を取り囲むように板表面４０と垂直な４つの側面から型枠４１を立ち上げ、ＰＣａ板３５の板表面４０の周囲を取り囲む型枠４１と板表面４０とで区画されたシート形成空間４５にボロン含有樹脂４６を流し込んでボロン含有樹脂４６を硬化させることによって形成できる。
一方側コンクリート部３を形成するＰＣａ板３５の板表面４０にボロン含有シート５を設ける際に、ＰＣａ板３５の板表面４０にボロン含有シート５を接着剤により接着して設ける場合に比べて、実施の形態４によれば、複合ＰＣａ板３６を容易に製作できる。
【００１７】
実施の形態５
図６に示すように、放射線源２が設置される部屋１０の壁構造部材１１及び天井構造部材１２として、コンクリート部５０とコンクリート部５０の一方の面５１に設けられたボロン含有シート５とにより形成された中性子線遮蔽構造体１Ａを用いてもよい。
即ち、図７に示すように、当該中性子線遮蔽構造体１Ａのボロン含有シート５の表面５２を放射線源２側に向けて中性子線遮蔽構造体１Ａを設置し、中性子線遮蔽構造体１Ａを放射線源２が設置される部屋１０の壁構造部材１１及び天井構造部材１２として用いる。
コンクリート部５０は、普通コンクリートと図外の鉄筋とによる鉄筋コンクリート構造により形成される。
【００１８】
尚、壁構造部材１１と天井構造部材１２との境界にはボロン含有シート５を設けないようにする。この場合、図７の左右の壁構造部材１１；１１の上面と対向させる左右の下面にボロン含有シート５を備えない天井構造部材１２を作製し、この天井構造部材１２の左右の下面を左右の壁構造部材１１；１１の上面に載せると、天井構造部材１２の自重で天井構造部材１２の左右の下面と左右の壁構造部材１１；１１の上面とが接触する。そして、天井構造部材１２の左右の下面と左右の壁構造部材１１；１１の上面との間の隙間にモルタルなどの充填材を充填することによって、天井構造部材１２の左右の下面と左右の壁構造部材１１；１１の上面とが接合される。
【００１９】
本形態５で説明した、放射線源２が設置される部屋１０の壁構造部材１１や天井構造部材１２として用いられる中性子線遮蔽構造体１Ａによれば、放射線源２から放射される中性子線ａが低エネルギー（低速）の中性子線ａである場合、当該低エネルギーの中性子線ａをボロン含有シート５で吸収でき、この場合、コンクリート部５０の放射化を抑制できるので、放射線源２が設置された部屋１０を備えていた建物の解体において、放射性廃棄物の量を少なくでき、放射性廃棄物の処理コストを低減できる。
【００２０】
実施の形態６
中性子線遮蔽構造体１の他方側コンクリート部４のコンクリートや、中性子線遮蔽構造体１Ａのコンクリート部５０のコンクリートを低放射化コンクリートにより形成してもよい。この場合、中性子線遮蔽構造体１；１Ａにおける全てのコンクリートの放射化を抑制でき、建物解体後の放射性廃棄物の量をより減らせるため、放射性廃棄物の処理にかかるコストをより低減できる。
【００２１】
実施の形態７
上述した中性子線遮蔽構造体１や中性子線遮蔽構造体１Ａを、放射線源２を覆う部屋１０の壁構造部材１１にのみ、あるいは、天井構造部材１２にのみ使用してもよい。
【００２２】
実施の形態８
上述した中性子線遮蔽構造体１や中性子線遮蔽構造体１Ａを用いて放射線源２を覆う部屋１０を形成する。即ち、図８に示すように、放射線源２を覆う部屋１０（放射線源設置部屋）の壁構造部材１１、天井構造部材１２、床構造部材１３の全てを、中性子線遮蔽構造体１や中性子線遮蔽構造体１Ａを用いて構築する。
この場合、部屋１０の床構造部材１３のコンクリートの放射化も抑制できるようになり、建物解体後の放射性廃棄物の量をより減らせるため、放射性廃棄物の処理にかかるコストを低減できる。
【符号の説明】
【００２３】
１；１Ａ  中性子線遮蔽構造体、２  放射線源、３  一方側コンクリート部、
４  他方側コンクリー部、５  ボロン含有シート、１０  部屋、１１  壁構造部材、
１２  天井構造部材、１３  床構造部材、３１  低放射化コンクリート、
３５  ＰＣａ板、３６  複合ＰＣａ板、５０  コンクリート部。
【図１】
2011058922.tif 000003
【図２】
2011058922.tif 000004
【図３】
2011058922.tif 000005
【図４】
2011058922.tif 000006
【図５】
2011058922.tif 000007
【図６】
2011058922.tif 000008
【図７】
2011058922.tif 000009
【図８】
2011058922.tif 000010